(57)【特許請求の範囲】
【請求項１】
前面を開放して他５面を閉塞した箱本体と、前記開放した前面を閉塞する閉塞手段とを有する電気機器収納箱であって、
前記開放された前面は、箱本体周縁部から一様な幅の窄み面と、当該窄み面の内側に前方に突出した突出枠とから成る開口枠を有し、該開口枠の内側４隅に箱本体を補強するための補強金具を備えて形成され、
前記補強金具は、前記突出枠に係止する枠係止片と窄み面背部に係止する裏面係止片とを有し、前記枠係止片と前記裏面係止片の双方は、前記開口枠の縦辺及び横辺の双方に係止するようＬ字状を成し、前記枠係止片と前記裏面係止片とが前記縦辺及び横辺の双方に係止して装着されることを特徴とする電気機器収納箱。
【請求項２】
突出枠内側部と枠係止片との係止構造が、一方に設けた爪状係止片と、他方に設けられ、前記爪状係止片を挿入係止する係止窓とから成ると共に、窄み面と裏面係止片との係止構造が、一方に設けた嵌合突起と、他方に設けられ、前記嵌合突起を挿入係止する嵌合孔とから成り、
前記補強金具を箱本体内から開口枠隅部に向けて斜め上方に押圧操作することで、夫々の係止構造が係止して補強金具が取り付けられる請求項１記載の電気機器収納箱。
【請求項３】
開口枠は、鋼板を突出枠先端から内側に折り曲げて二重に形成され、補強金具との係止部は、折り曲げた前記突出枠内側と窄み面裏面に設けて成る請求項１又は２記載の電気機器収納箱。
【発明の詳細な説明】
【技術分野】
【０００１】
本発明は、電気機器や通信機器等の電気機器を収納する電気機器収納箱に関し、特に設置現場で組み立てが可能な電気機器収納箱に関する。
【背景技術】
【０００２】
配電用の電気機器を収納したり通信機器等の電子機器を収納する従来の収納箱は、アングル枠等を溶接接続してフレームを形成し、その周囲各面に閉塞板を溶接やネジ止めにより取り付けて形成したり、金属板を折り曲げて背板及び側板等を連続形成し、天板や底板等をその金属板に溶接等により取り付けてフレームレスで形成していた。
【０００３】
しかし、上記フレーム構造或いはフレームレス構造のものは、何れも組み立てた状態で工場出荷され、保管及び運搬は完成された状態で成される。そのため、保管のために広いスペースが必要であったし、運搬する際も効率が悪く一度に多くの収納箱を運搬することができなかった。
そのため、特許文献１に開示されているような収納箱が提案されている。これは、背板、天板、底板、側板等を箱設置現場でネジ止めして組み立てる構成であり、組み立てるまでは各板を重ねて保管及び運搬ができるため、保管のためのスペースが僅かで済むし、運搬のコストも軽減することができる。
【０００４】
【特許文献１】特開２００３−３１８５６０号公報
【発明の開示】
【発明が解決しようとする課題】
【０００５】
上記特許文献１の構成は、ネジ止めにより各板体を連結するため、剛性を十分得るのが難しく、対角補強金具を４隅に装着する等して強度を確保していた。しかし、この対角補強金具もネジ止め構造であるため、組み立てが更に面倒であり、作業者の負担が大きかった。
そこで、本発明はこのような問題点に鑑み、補強金具をネジ等の螺着手段を使用する事無く装着でき、且つ螺着手段を使用しなくても捻れ強度を上げることができる電気機器収納箱を提供することを目的とする。
【課題を解決するための手段】
【０００６】
上記課題を解決する為に、請求項１の発明は、前面を開放して他５面を閉塞した箱本体と、前記開放した前面を閉塞する閉塞手段とを有する電気機器収納箱であって、前記開放された前面は、箱本体周縁部から一様な幅の窄み面と、当該窄み面の内側に前方に突出した突出枠とから成る開口枠を有し、該開口枠の内側４隅に箱本体を補強するための補強金具を備えて形成され、前記補強金具は、前記突出枠に係止する枠係止片と窄み面背部に係止する裏面係止片とを有し、前記枠係止片と前記裏面係止片の双方は、前記開口枠の縦辺及び横辺の双方に係止するようＬ字状を成し、前記枠係止片と前記裏面係止片とが前記縦辺及び横辺の双方に係止して装着されることを特徴とする。
この構成により、開放された前面に窄み面と突出枠とで形成した開口枠を設けると共に４隅が補強されるので、フレーム構造を採用せずに箱本体各面を構成する板体同士を直接連結するだけで十分な剛性を得ることが可能となる。また、補強金具は窄み面裏面と突出枠の２面で箱本体に係止すると共に、縦辺及び横辺の双方に係止するので、捻れに対しても強くでき、設置現場において組み立てるよう構成しても堅牢な箱体とすることができる。
また、補強金具は開口枠に係止させて装着するので、ネジ等用いる事無く装着できるし、箱本体の内側に装着するので、目立たず外観を損なう虞がない。
【０００７】
請求項２の発明は、請求項１に記載の発明において、突出枠内側部と枠係止片との係止構造が、一方に設けた爪状係止片と、他方に設けられ、前記爪状係止片を挿入係止する係止窓とから成ると共に、窄み面と裏面係止片との係止構造が、一方に設けた嵌合突起と、他方に設けられ、前記嵌合突起を挿入係止する嵌合孔とから成り、前記補強金具を箱本体内から開口枠隅部に向けて斜め上方に押圧操作することで、夫々の係止構造が係止して補強金具が取り付けられることを特徴とする。
この構成により、補強金具を箱本体内部から斜め前方に係止操作することで窄み形成部と突出枠の双方にスムーズに係止させることができ、簡易な操作で取り付けできる。
【０００８】
請求項３の発明は、請求項１又は２に記載の発明において、開口枠は、鋼板を突出枠先端から内側に折り曲げて二重に形成され、補強金具との係止部は、折り曲げた前記突出枠内側と窄み面裏面に設けて成ることを特徴とする。
この構成により、開口枠を堅牢にできるし、補強金具との係止部を二重構造の内側に形成するので、表側に係止構造が露出することが無く、平坦な面を維持できる。
【発明の効果】
【０００９】
本発明によれば、開放された前面に窄み面と突出枠とで形成した開口枠を設けると共に４隅が補強されるので、フレーム構造を採用せずに箱本体各面を構成する板体同士を直接連結するだけで十分な剛性を得ることが可能となる。また、補強金具は窄み面裏面と突出枠の２面で箱本体に係止すると共に、縦辺及び横辺の双方に係止するので、捻れに対しても強くでき、設置現場において組み立てるよう構成しても堅牢な箱体とすることができる。
また、補強金具は開口枠に係止させて装着するので、ネジ等用いる事無く装着できるし、箱本体の内側に装着するので、目立たず外観を損なう虞がない。
【発明を実施するための最良の形態】
【００１０】
以下、本発明を具体化した実施の形態を、図面に基づいて詳細に説明する。図１は本発明に係る電気機器収納箱の一例を示す斜視図であり、閉塞手段である蓋板を除いた箱本体を示している。箱本体１は、背板２、天板３、底板４、側板（左側板５ａ、右側板５ｂ）５を有し、前面に大きな開口部６を備えている。各閉塞面は鋼板により形成され、係止手段を設けて互いに連結したり、ネジ止め等で連結されて箱本体１を形成している。
【００１１】
図２〜図５は図１Ａ部を拡大した図で、図２はＡ部の正面図、図３は開口部６の前方から見た斜視図、図４は補強金具を開口部から外した図、図５はＡ部の背面図である。また、図７は図２のＢ−Ｂ線断面図を示している。これらの図に示すように、箱本体１の前面は、箱本体１の前面周囲に一様な幅で設けて開口部６を窄み形成する窄み面８と、その窄み面８の内側を前方に折り曲げて突出させた一様な高さの突出枠９とから成る開口枠１０を有し、この開口枠１０の４箇所の隅部には補強金具１１が取り付けられている。
【００１２】
図６は補強金具１１を示し、（ａ）は斜視図、（ｂ）は平面図である。補強金具１１は、開口枠１０の縦辺１０ａ及び横辺１０ｂの双方に係止するように全体がＬ字状に形成され、突出枠９の内側部に係止する枠係止片１２と、窄み面８の裏面に係止する裏面係止片１３とを備えている。双方ともＬ字状に形成され、１枚の鋼板をプレス成形して折り曲げて作製され、枠係止片１２が直角に折り曲げて形成されると共に、裏面係止片１３は枠係止片１２の下部を直角に折り曲げてスカート状に広げて形成されている。
【００１３】
そして、枠係止片１２には、突出枠９に係止する係止手段として、爪状係止片１５及び嵌合突部１６が複数設けられ、裏面係止片１３には窄み面８の裏面に係止する係止手段として嵌合孔１７が複数設けられている。これら爪状係止片１５、嵌合突部１６、嵌合孔１７は開口枠１０の縦辺１０ａ及び横辺１０ｂの双方に対して設けられている。
爪状係止片１５は、枠係止片１２の先端部の適宜部位を切り欠いて爪片を複数箇所に形成し、この爪片を突出枠９当接方向にクランク状に折り曲げて形成されている。また、嵌合突部１６は、突出枠９当接方向に小さな円柱状突起体として形成され、裏面係止片に設けられた嵌合孔１７は、裏面係止片１３に穿設された丸孔である。
【００１４】
一方、開口枠１０は、隣接する夫々の側板５、天板３、或いは底板４から延設されて形成され、鋼板を開口端部で折り曲げて二重に形成されている。折り曲げた側となる突出枠９の内側面、及び窄み面８の裏面には補強金具１１の各係止手段に対応した係止手段が形成されている。
【００１５】
突出枠９の内側面には、枠係止片１２に形成されている爪状係止片１５を挿入して係止するための矩形の係止窓１９と、嵌合突起１６を係止する嵌合孔２０が所定部位に穿設されている。このうち、嵌合孔２０は、突出枠９の下部にコ字状のスリットを打ち抜き形成して弾性片２１を形成し、その内部に設けられている。そして、２重に形成された突出枠９の外側面と内側面の間には隙間が設けられ、爪状係止片１５の挿入空間が形成されている。
【００１６】
また、二重に形成された窄み面８の裏面には、裏面係止片１３に設けられた嵌合孔１７に挿入係止する嵌合突起２２が形成されている。この嵌合突起２２は円筒状に形成され、嵌合孔１７と略同一径で形成されている。
【００１７】
このように形成された補強金具１１は、次のように箱本体１へ装着される。まず、上記図４に示すように、開口部６内の補強金具１１を装着する開口枠１０の縁部に近い位置に配置する。そして、枠係止片１２の夫々の爪状係止片１５を突出枠９の対応する係止窓１９に当接させ、圧入操作して挿入する。この挿入操作により、全ての爪状係止片１５が一気に係止窓１９に挿入される。同時に、嵌合孔２０に嵌合突部１６が挿入されると共に、裏面係止片１３に設けられた嵌合孔１７に嵌合突起２２が挿入されて係止する。こうして、図３の状態となり、ネジ等用いることなく補強金具１１は開口枠１０の隅部に装着される。他の３箇所も同様の操作で取り付けでき、補強金具１１は４隅に取り付けられる。
【００１８】
このように、開放された前面に窄み面と突出枠とで形成した開口枠を設けると共に４隅が補強されるので、フレーム構造を採用せずに箱本体各面を構成する板体同士を直接連結するだけで十分な剛性を得ることが可能となる。また、補強金具は窄み面裏面と突出枠の２面で箱本体に係止すると共に、縦辺及び横辺の双方に係止するので、捻れに対しても強くでき、設置現場において組み立てるよう構成しても堅牢な箱体とすることができる。
また、補強金具は開口枠に係止させて装着するので、ネジ等用いる事無く装着できるし、箱本体の内側に装着するので、目立たず外観を損なう虞がない。
更に、補強金具を箱本体内部から斜め前方に係止操作することで窄み形成部と突出枠の双方にスムーズに係止させることができ、簡易な操作で取り付けできる。
また、開口枠を二重構造にすることで開口枠を堅牢にできるし、補強金具との係止部を二重構造の内側に形成するので、表側に係止構造が露出することが無く、平坦な面を維持できる。
【００１９】
尚、上記実施形態では、補強金具１１と開口枠１０との係止構造が、枠係止片１２に爪状係止片１５を設けて突出枠９に対応する係止窓１９を設け、裏面係止片１３に嵌合孔１７を設けて窄み面に対応する嵌合突起２２を設けているが、夫々逆に組み合わせても良い。例えば、突出枠９に爪状係止片１５を設けても良いし、窄み面８に嵌合孔２０を設けても良い。
また、補強金具１１の枠係止片１２及び裏面係止片１３を一体に形成して双方をＬ字状に形成しているが、裏面係止片１３はＬ字状に形成せずに枠係止片１２の夫々の片に独立して形成しても良い。この場合、捻れ強度は一体型に比べて劣るが補強金具の作製は容易となる。
【産業上の利用可能性】
【００２０】
上記電気機器収納箱体は、一面が開放された金属製箱体として汎用性を有し、他の用途でも使用できる。例えば、備品を収納するロッカーや小型の倉庫に適用できる。
【図面の簡単な説明】
【００２１】
【図１】本発明に係る電気機器収納箱の実施形態の一例を示す箱本体の斜視図である。
【図２】図１Ａ部の正面図である。
【図３】図２を斜め下方から見た部分斜視図である。
【図４】図３において補強金具を外した状態の斜視図である。
【図５】図１Ａ部の背面図である。
【図６】補強金具の斜視図である。
【図７】図２のＢ−Ｂ線断面図である。
【符号の説明】
【００２２】
１・・箱本体、２・・背板、３・・天板、４・・底板、５（５ａ，５ｂ）・・側板、６・・開口部、８・・窄み面、９・・突出枠、１０（１０ａ，１０ｂ）・・開口枠、１１・・補強金具、１２・・枠係止片、１３・・裏面係止片、１５・・爪状係止片、１６・・嵌合突部、１７・・嵌合孔、１９・・係止窓、２０・・嵌合孔、２２・・嵌合突起。
【図１】
0004795829.tif 000002
【図２】
0004795829.tif 000003
【図３】
0004795829.tif 000004
【図４】
0004795829.tif 000005
【図５】
0004795829.tif 000006
【図６】
0004795829.tif 000007
【図７】
0004795829.tif 000008